(57)【特許請求の範囲】
【請求項１】
対向する観客席台の下端にピボットをそれぞれ設け、対向する観客席台の上部をケーブルで結合して、
前記ピボットを中心に、観客席台重力の下向力と観客席台を結ぶケーブル引張力が互いに引き合うようにし、
これにより観客席台の重みで前記ケーブルを張るとともに、前記ケーブルで観客席台を支え、天井を支え得るようにした事を特徴とする競技場。
【発明の詳細な説明】
【技術分野】
【０００１】
本発明はその内部でオリンピック競技を行うことができる競技場に関する。
【背景技術】
【０００２】
競技場の周囲に設置された観客席（スタンド）の上方を、大スパン屋根構造建築物が知られている。このような大スパン屋根構造物としては、以下の方式が知られている。
（１）片持ち梁方式（横浜国際総合競技場、静岡スタジアム）
（２）斜張式片持ち梁方式（東京スタジアム、茨城県立カシマサッカースタジアム）
（３）先端支持単純梁方式（神戸ウイングスタジアム、埼玉スタジアム、豊田スタジアム）
（４）シェル・ドーム方式（札幌ドーム、新潟スタジアム）
（５）巨大キール方式（ザハ・ハディド氏設計の新国立競技場案）
【発明の概要】
【発明が解決しようとする課題】
【０００３】
（１），（２）の方式は屋根支持梁を片持ち支持したものであるから、荷重伝達方向が一方向であり、柱梁境界部の曲げモーメントの変形制御が必要となる。また、（２）の方式は、片持ち梁の先端を斜め上方に吊り上げるため、主架構断面の縮小が可能であるが、屋根面上に突き出したストラットや吊り材の存在が外観のイメージに大きな影響を及ぼす。
【０００４】
（３）の方式は吊り材を支持する巨大マストの存在が、外観のイメージに大きな影響を与えてしまい、建築物の高さに制限がある敷地条件では採用が難しい。（４）の方式は２方向の荷重伝達を特徴とするが、屋根架構は連続体の性質を  有する必要があり、構造物の全体挙動の把握が必要となる。
（５）の方式は競技場の長さ方向を長いキールを渡す方式であり、工事費が巨大となったため、計画中止に追い込まれた。
本発明はこのような課題に鑑みてなされたものであって、屋根支持梁が観客席からの視線の妨げとならず、また昼夜間でも雨天など全天候で使用でき、夜間照明が場内の隅々まで明るく、スピーカ音も全域にくまなく聴こえ、空調も効率よく、テレビカメラが上方から全競技場をくまなく撮影できる、短工期で低コストで提供できる技術を実現することを目的としている。
【課題を解決するための手段】
【０００５】
前記した課題を解決する本発明は、観客席の重みで天井用ケーブルを張り逆に前記ケーブルで観客席を支え、前記ケーブルに照明具，撮影具，エアコン等を設け、前記ケーブルの上にテフロン加工したテントシート等の天井を設け、前記観客席下は駐車場等に使用し得ることを特徴とする。
【発明の効果】
【０００６】
本発明によれば、観客席台の重みで天井用ケーブルを張り、逆に前記ケーブルで観客席台を支えるようにしたので、構造が簡単、合理的でキールを使用せずオリンピックの競技場のような巨大な長距離のスペースでも天井を張れ、イス部はプレハブでできるので部品や工数が少なく、ワイヤはキールに比べて遥かにローコストで製品の安定性があり、吊り橋で既存技術が確立しているので、工事の失敗がなく、短工期で低コスト、メンテナンス費用が少い競技場を提供することができる。更に屋根支柱梁が観客からの視線の妨げとならず、照明が全体を照らし、テレビカメラが全域を映し出し、スピーカが全域にクリアに聴こえる。
又、空調効率もよい。又、コーナー部１５も有効スペースとして活用でき、 観客用エレベータや売店，レストラン，観客多少調節結合部を設ける等して、地面と空間の有効利用を図ることができ、観客席下のスペースが他のどの構造方式より柱の無いスペースが奥まで深く大きいので駐車場も最大のものができる等々の大きなメリットがある画期的な発明である。
【図面の簡単な説明】
【０００７】
【図１】本発明の実施例の横断面図
【図２】本発明の実施例の平面図
【図３】本発明のコーナーを利用した実施例の平面図
【図４】本発明のピボット部の他の実施例の横断面図
【図５】本発明観客席上のみ天井の場合の空調説明図
【図６】本発明全面天井の場合の空調説明図
【図７】本発明競技場立体斜視図
【発明を実施するための形態】
【０００８】
以下、図面を参照して本発明の実施例を詳細に説明する。
図１は本発明の実施例の横断面を示す図である。本発明は、図１に示すごとく、競技場２を設けるが、それを囲む観客席１１を載せている観客席台３は地表又は地下の土台１６の上に観客席台３，７の根本の支点４が乗り、観客席台上部の結合部５で結合したケーブル６が観客席３と７を結合している。
【０００９】
ケーブル６で、対向の観客席３と７の上端８で結合されているので、両方観客席台３と７の下方向の重力９と支点４によりケーブル６が伸ばされる。先ず競技場２の侠幅方向にケーブル６を張り、次に競技場２の長幅方向ケーブル１２をケーブル６の上に張る。ケーブル６と１２によりその上に図４の１７又は図５の１８の如くテフロンで加工したテントシート等の天井材を支えることができるし、スピーカ，テレビカメラ，照明灯，エアコン等も取り付けられる多機能性を持たせ、更にケーブル１６，１７は支点４により観客席３，７を上角度に支持するという多機能性を持たせた発明である。
【００１０】
かくて、ケーブル６とシート１１を載せた観客席台３，７はお互いに助け合い、シート部はプレハブで出来、最少の部材と工数で構成されるので、ローコストとなり工期も速い。計画中止となったザハ方式はキールが長大な距離の場合、高コストで工期も長いが、本発明方式を使用すれば既に確立されている吊り橋の技術を使用し、実績が多数あるのでローコスト、短工期になり、トラブルは無くメンテナンス費用も最少ですむ。
【００１１】
図２は本発明の平面図を示し、競技場２の長さ方向にケーブル１２を張り、観客席１３，１４を支え、同時にケーブル１２が観客席１３，１４で伸張されることは図１と同様であるが、ケーブル１２が競技場２の長辺方向で長距離となっても、短幅方向のケーブル６で支えられる。短幅方向のケーブル６の方がたるみが少ないからである。２８はケーブル６と１２を結合する結合部である。結合部２８を設けることにより観客席１１の客数が３と７又は１３と１４がアンバランスでも観客席台３，７，
１３，１４が傾かないよう持ちこたえられる。
【００１２】
図３の実施例は図２の観客席３，７，１３，１４のコーナーの空いた部分１５を活用し、観客用出入口，上段客席用エレベータ，休憩室等に利用するタワー
１５にし、図２のケーブル結合部２８を設けずに、観客席３，７，１３，１４とタワー１５を上下の遊びのある結合部２９で結合し、観客１１の数がアンバランスに対処し観客席１１が傾かないようにした本発明他の実施例である。
【００１３】
図４は本発明の他の実施例を示し、観客席台３，７の下部のピボット４を載せる基礎３２を地中をドリルで筒状に岩盤に達するまで堀り、ここにセメントを流して造る実施例である。ケーブル６，１２に照明具やスピーカやカメラ１６を設け、ケーブル６，１２の上にテント地等１７を全面的に張って天井１２にする。客席台上部のケーブル結合部５から地面観客席台結合ケーブル３０を基礎３２に結合３１し、客数アンバランスで客席がケーブル３０で傾かない対策とした実施例である。本発明方式のメリットは既に前述したとおりである。
【００１４】
図５は天井シート１８を観客席１１上部のみ張った本発明他の実施例であり、また本発明空調の実施例でもある。図５に示す１８のごとく観客席台の下部に空気流入スリット２０を設ける。競技場２は太陽熱２７や人熱で高温となり、上昇気流２１となり、天井の開口部２２から吹き出る。従って、前記スリット２０から新しい空気２３が流入する。この空気２３は、観客席台３の下の陽の当たらない冷たい空気なので、競技場に冷気が入り、温度が下がる。冬の場合は、スリット２０を閉めておけば部分天井18で暖気の上昇が抑えられ太陽熱が競技場にこもって暖かくなる。
【００１５】
図６は本発明他の実施例で、シート１７で天井全部を覆ったもので、雨天でも使用できる全天候型である。この場合、ケーブル６，１２にエアコン２４をぶら下げれば、観客熱や太陽２７の熱で競技場内が熱くなっても、天井エアコン２４で冷気２５が落下しまたスリット２０から冷気２３を呼び込み、暖気２６は天井室外機３３で外に放出２６され競技場内は冷房される。冬はスリット２０を閉じ太陽熱２７と人熱で天井１7が密閉されているので、競技場２は暖かい。
【００１６】
図７は本発明競技場の立体斜視図である。
【産業上の利用可能性】
【００１７】
本発明により、観客席数の非常に多い多機能性のある大競技場をコストが安く、しかも短工期で建設でき又メンテナンス費用も少いので維持費も少く多方面に利用出来るので産業上の利用が極めて大きい。
【符号の説明】
【００１８】
１      地面
２      競技場
３      観客席台
４      観客席台支点
５      ケーブル結合部
６      幅方向ケーブル
７    観客席台
８    観客席７の上端
９    観客席台重力の下向力
１０  ケーブル引張力
１１  観客シート
１２  長さ方向ケーブル
１３  長さ方向観客席
１４  対面する長さ方向観客席
１５  ４隅のエンプティスペースを利用し、観客の出入り口、エレベータ、部屋等に利用し観客席台も支えるタワー
１６  ケーブル６，７にぶら下げるカメラ，スピーカ，空調機等
１７  テントシート等全面天井
１８  観客席上部のみの部分天井
１９  来場者等自動車
２０  観客席台下に設けた冷気スリット
２１  上昇暖気
２２  天井開口部
２３  流入冷気
２４  エアコン
２５  エアコンからの冷気
２６  エアコンからの排出暖気
２７  太陽
２８  ケーブル結合部
２９  観客席３，７，１３，１４とタワー１５を結合する上下に遊びがある結合部
３０  地面観客席台結合ケーブル
３１  上記ケーブル３０と基礎３２を結合する結合部
３２  地面をドリルし、セメントを流し込んだ基礎
３３  空調室外機
【図１】
0006450664.tif 000002
【図２】
0006450664.tif 000003
【図３】
0006450664.tif 000004
【図４】
0006450664.tif 000005
【図５】
0006450664.tif 000006
【図６】
0006450664.tif 000007
【図７】
0006450664.tif 000008